(57)【特許請求の範囲】
【請求項１】
天板面を巾方向に区画する位置にサイドパネルを取り付けるためのものであって、
前記サイドパネルの下縁を支持する下支持部と、前記サイドパネルの後縁側を支持する縦支持部と、前記天板の後縁に巾方向所要領域に亘って厚み方向及び奥行き方向に緊密に係り合う後支持部とを一体的に設けて取付具とし、この取付具によって前記サイドパネルを二辺に沿って支持するようにしたことを特徴とするサイドパネルの取付構造。
【請求項２】
縦支持部は、支柱を具備するものであり、対応するサイドパネルの肉厚内に下方に開口する中空部を形成して、これら支柱と中空部との間に設定したスライド部を介して、サイドパネルの中空部を支柱に上下方向から差し込んで嵌め合わせるようにしている請求項１記載のサイドパネルの取付構造。
【請求項３】
縦支持部は、支柱を具備するものであり、この支柱を、サイドパネルの後縁に設けた溝にテーパ状に嵌め合わせて、嵌め合いが深くなる方向に連結具によって締結するようにしている請求項１記載のサイドパネルの取付構造。
【請求項４】
下支持部は、上向きの突条を具備するものであり、この突条を、サイドパネルの下面に設けた溝に嵌め合わせるようにしている請求項１〜３何れかに記載のサイドパネルの取付構造。
【請求項５】
突条が、薄板状のベース上に一体的に突出させて設けられたものであり、サイドパネルの溝に突条を嵌め合わせた際、ベースが、サイドパネルの下面と密着し、その状態で当該ベースの巾寸法がサイドパネルの巾寸法とほぼ合致するように設定されている請求項４記載のサイドパネルの取付構造。
【請求項６】
溝の前方は、突条とともにサイドパネルの前縁によって前方から視認されない状態に塞がれている請求項４又は５何れかに記載のサイドパネルの取付構造。
【請求項７】
後支持部は、縦支持部及び下支持部よりも天板巾方向に迫り出した延出部を有する請求項１〜６何れかに記載のサイドパネルの取付構造。
【請求項８】
後支持部は、取付具を天板巾方向の所要位置に選択的に固定するためのクランプ構造を備える請求項１〜７何れかに記載のサイドパネルの取付構造。
【請求項９】
請求項１〜８何れかに記載のサイドパネルの取付構造に使用されることを特徴とする取付具。
【発明の詳細な説明】
【技術分野】
【０００１】
本発明は、天板上にサイドパネルを、見栄えよく、また引出の機能等を損なうことなく簡単適切に取り付け可能とし、フリーアドレスにも対応可能としたサイドパネルの取付構造に関するものである。
【背景技術】
【０００２】
天板の巾方向を区画する位置にサイドパネルを取り付ける構造として、例えば特許文献１，２に示すもの等が知られている。これらのものは、サイドパネルの後縁より突出させたブラケットの爪をデスクトップパネルの目地に開口するフック孔に係り合わせるとともに、サイドパネルの前端下部をクランプ等の取付金具を介して天板の前縁に厚み方向に係り合わせることで、前者によってサイドパネルの傾倒を規制し、後者によってサイドパネルの前縁の巾方向の振れを規制するようにしている。
【特許文献１】実公平６−４１４６１号公報
【特許文献２】特開２００１−１７８５４７号公報
【発明の開示】
【発明が解決しようとする課題】
【０００３】
ところが、かかる取付構造であると、サイドパネルの前端側に位置する取付金具が天板の前縁ないし下面に突出するので、見栄えが悪い上に、センター引出やそのレールとの干渉を招き易い。
【０００４】
また、近時のオフィスは、自席を限定しないフリーアドレス制が随所に採用されているが、上記特許文献１、２のような構造だと、モジュール単位にしかサイドパネルが取り付けられず、デスクトップパネルが存在しなければ取付自体も不可能となってしまう。
【０００５】
本発明は、このような課題に着目してなされたものであって、取付状態が天板の外観を極力毀損することがなく、センター引出やその取付具との干渉も回避でき、取付位置も天板巾方向に限定されないようにした、新たなサイドパネルの取付構造を提供することを目的としている。
【課題を解決するための手段】
【０００６】
本発明は、かかる目的を達成するために、次のような手段を講じたものである。
【０００７】
すなわち、本発明に係るサイドパネルの取付構造は、天板面を巾方向に区画する位置にサイドパネルを取り付けるためのものであって、前記サイドパネルの下縁を支持する下支持部と、前記サイドパネルの後縁側を支持する縦支持部と、前記天板の後縁に巾方向所要領域に亘って厚み方向及び奥行き方向に緊密に係り合う後支持部とを一体的に設けて取付具とし、この取付具によって前記サイドパネルを二辺に沿って支持するようにしたことを特徴とする。
【０００８】
このように、天板の後縁に緊密に取り付けられる後支持部に下支持部および縦支持部が一体化すると、後支持部の傾倒や、下支持部の天板巾方向の振れが規制される。このため、サイドパネルの前端下部をクランプ等によって天板に支持させずとも、またデスクトップパネルが存在せずとも、パネル面の傾倒や前端側の幅方向の振れを有効に防止することができる。したがって、天板の前縁側の外観を毀損することなく、センター引出やそのレール等と干渉することもない取付構造が実現可能となり、デスクトップパネル等にも依存しないものとなる。
【０００９】
簡単な作業で高い取付強度を得るためには、縦支持部が支柱を具備し、対応するサイドパネルの肉厚内に下方に開口する中空部を形成して、これら支柱と中空部との間に設定したスライド部を介して、サイドパネルの中空部を支柱に上下方向から差し込んで嵌め合わせるようにおくことが望ましい。
【００１０】
或いは、縦支持部が支柱を具備し、この支柱を、サイドパネルの後縁に設けた溝にテーパ状に嵌め合わせて、嵌め合いが深くなる方向に連結具によって締結するようにしても有効である。
【００１１】
一方、サイドパネルの下縁全体に巾方向の振れ止め効果とパネル面の傾倒抑止効果とを得るためには、下支持部が上向きの突条を具備し、この突条を、サイドパネルの下面に設けた溝に嵌め合わせるようにしておくことが効果的である。
【００１２】
傾倒防止の効果を、見栄えを損なわずに高めるためには、突条が、薄板状のベース上に一体的に突出させて設けられたものであり、サイドパネルの溝に突条を嵌め合わせた際、ベースが、サイドパネルの下面と密着し、その状態で当該ベースの巾寸法がサイドパネルの巾寸法とほぼ合致するように設定しておくことが好ましい。
【００１３】
勿論、下支持部が突条そのものであって、その突条全体をサイドパネルの溝に受容させるように構成することもできる。
【００１４】
溝がサイドパネルの外観を毀損しないためには、溝の前方が、突条とともにサイドパネルの前縁によって前方から視認されない状態に塞がれていることが好ましい。
【００１５】
パネル面の傾倒方向の挙動をより的確に抑止するためには、後支持部が、縦支持部及び下支持部よりも天板巾方向に迫り出した延出部を有していることが効果的である。
【００１６】
以上の構造を前提として、天板巾方向に取付位置の自由度が得られ、変更作業も容易なものとするためには、後支持部が、取付具を天板巾方向の所要位置に選択的に固定するためのクランプ構造を備えておくことが更に望ましい。
【００１７】
そして、以上に述べた取付具さえ用意すれば、後はサイドパネル側に若干の加工を施すだけで、本発明を有効に利用することが可能となる。
【発明の効果】
【００１８】
本発明は、以上説明した構成であるから、サイドパネルを天板に取り付けた状態で、天板の前縁側をクランプ等の存在しない見栄えの良好な状態に保つことができ、センター引出やその取付具との干渉も回避できるためデスクの機能を損ねることもなく、デスクトップパネルに依存しないため天板のみが存在すればサイドパネルの取り付けが可能で、さらに取付位置も天板巾方向に限定されないためフリーアドレスなどにも容易に対応可能とした、新たなサイドパネルの取付構造を提供することができる。
【発明を実施するための最良の形態】
【００１９】
以下、本発明の一実施形態を、図面を参照して説明する。
【００２０】
図１は、この実施形態に係る取付構造を実現するための取付具１を用いて天板２にサイドパネル３を取り付けた状態を示しており、図２はその分解斜視図、図３は取付具１の三面図、図４はサイドパネル３である。
【００２１】
天板２は、複数人が同時に着座可能な大型の天板面２０を備える。
【００２２】
サイドパネル３は、木製芯材３１を主体とし、その内部にアルミ押し出し材等の剛性素材によって前後に対をなす縦補強材３２，３３を内設したもので、後側の縦補強材３３は中空の角柱状をなし、芯材３１から前側の縦補強材３２に亘る部位の下縁３ｂに沿って、下端側に開口する溝３４が形成されている。この溝３４は前側の縦補強材３２の途中で切り終わっており、サイドパネル３の前端面３ａに隠蔽されて正面から視認されない状態にある。
【００２３】
一方、取付具１は、サイドパネル３の下縁３ｂを支持する下支持部４と、サイドパネル３の後縁３ｃ側を支持する縦支持部５と、天板２の後縁２ｂに巾方向所要領域に亘って厚み方向Ｘ（図３参照）及び奥行き方向Ｙに緊密に係り合う後支持部６とを具備し、これらは金属素材により構成されて、相互に一体的に接合されている。
【００２４】
下支持部４は、この実施形態では図５に示すようにアングル材４１を背合わせに突き合わせて薄板状のベース４２上に溶接等により剛接した断面逆Ｔ字状のもので、その突出部分が突条４３として設定されている。突条４３の前端よりもベース４２の前端４２ａの方が所定寸法だけ前方に突出しており、ベース４２の下面にはゴム等の摩擦材４４が接着されている。突条４３の突出高さ及び長手寸法は、サイドパネル３の溝３４の深さ及び溝３４の長さよりも若干小さく設定してあり、突条４３の巾（厚み）ｄ３は溝３４の巾ｄ４に挿入可能な程度に緊密に設定されている。ベース４２の巾寸法ｄ１はサイドパネル３の厚み寸法ｄ２にほぼ合致する設定となっている。
【００２５】
縦支持部５は、図２及び図３等に示すように、前記サイドパネル３の後補強材３３の中空部に挿入可能な矩形角パイプ状の支柱５１を具備するもので、その側壁５１ａには長手方向に沿った複数箇所に貫通孔５１ｂが設けてある。そして、この支柱５１の側壁５１ａに樹脂素材等により構成される薄板状のスライダ５２を、その側面に設けた突起５２ａを前記貫通孔５１ｂ内に差し込んで装着するようにしている。
【００２６】
後支持部６は、板材を折り曲げることによって、上壁６１、立壁６２及び底壁６３からなるチャネル部６ａを形成したもので、上壁６１と底壁６２との間の内法寸法は天板２の厚み寸法よりも大きく設定してあり、長手寸法は天板２の後縁の所要領域に亘って添設する寸法、例えばこの実施形態の場合、前記内法寸法の４〜５倍程度に設定されている。底壁６３にはナット６４が剛接してあり、底壁６３の上面には、図６に示すようにナット６４のねじ孔に対応する部位に下に開くテーパ穴６５ａを有したプレート６５が配置され、底壁６３のナット６４に螺合されるねじ部材６６を中心に誘導する役割を果たしている。これらチャネル部６ａ、ナット６４、プレート６５及びねじ部材６６が、クランプ構造を構成している。
【００２７】
そして、図２及び図３に示すように、後支持部６の上壁６１の前端に下支持部４を構成する突条４３及びベース４２の後端を突き当て（当接位置Ｔ１）、縦支持部５１の下端を前記後支持部６の上壁６１あるは当該上壁６１から下支持部４のベース４２に亘る部位に突き当て（当接位置Ｔ２）、このとき下支持部４２の後端を同時に縦支持部５１の前面に突き当てた状態（当接位置Ｔ３）で、これらを溶接等により剛接して、取付具１を構成している。この結果、取付具１は、平面視Ｔ字状をなし、側面視Ｌ字状をなし、背面視逆Ｔ字状をなすものとなっている。
【００２８】
そして、スライダ５２を装着した支柱５１に対して、サイドパネル３の後側の縦補強材３３の中空部を図２に矢印で示すように上下方向から差し込んで嵌め合わせ、引き続きサイドパネル３の下縁３ｂに形成した溝３４を突条４３に差し込んで嵌め合わせることによって、サイドパネル３の下縁３ｂをアングル材４１を介してベース４２に密着させ、溝３４の前方は突条４３とともにサイドパネル３の前縁３ａによって前方から視認されない状態に塞がれて、図７に示すようにサイドパネル３を後縁３ｃ及び下縁３ｂの２辺に沿って取付具１に支持させるようにしている。そして、図６に示す取付具１のチャネル部６ａを、天板２の後縁２ｂの厚みを受容するように差し込んで、立壁６２の内面が天板２の後縁２ｂに突き当たった位置でクランク構造を構成するねじ部材６６を締め込むことによって、プレート６５を押し上げて天板２の下面２ｃに突き当てさせ、更に締め込むことによって、底壁６３及び立壁６２を足場にして上壁６１とプレート６５との距離を縮め、天板６１を挟み込んだ状態に取り付けるようにしている。
【００２９】
この結果、図７に示すように、サイドプレート３は後縁３ｃ及び下縁３ｂの２辺に沿って取付具１に支持された状態となり、このときベース４２の前端は天板２の前縁２ａにほぼ合致する状態となるように、また後支持部６が、縦支持部５及び下支持部４よりも天板巾方向に迫り出した延出部６ｘ（図１参照）を有するように、各部の寸法関係が設定されている。
【００３０】
なお、天板２の後方に図７に示す幕板７を取り付ける際には、天板２と幕板７との間に配線空間Ｓを形成し、取付具１の特に後支持部６をこの配線空間Ｓに沿って移動させるようにしている。この場合、支柱３３の後端位置は天板２の後縁２ｂに概ね合致し、支柱３３の後方には更にパネル３の肉厚部３ｍが存在していて、サイドパネル３の後縁３ｃと下縁３ｂのコーナーには凹陥部Ｐが形成されている。この凹嵌部Ｐは、配線空間Ｓの上方を閉止する位置に回動可能に設けた配線カバーＣの回動動作との干渉を避けるためのものである。
【００３１】
以上のように、本実施形態に係るサイドパネルの取付構造は、天板面２０を巾方向に区画する位置にサイドパネル３を取り付けるにあたり、サイドパネル３の下縁３ｂを支持する下支持部４と、サイドパネル３の後縁側３ｃを支持する縦支持部５と、天板２の後縁２ｂに巾方向所要領域に亘って厚み方向及び奥行き方向に緊密に係り合う後支持部６とを一体的に設けて取付具１を構成し、この取付具１によって前記サイドパネル３を二辺に沿って支持するようにしたものである。
【００３２】
このように、天板２の後縁に緊密に取り付けられる後支持部６に下支持部４および縦支持部５が一体化することで、後支持部６の傾倒や、下支持部４の天板巾方向の振れが規制される。このため、サイドパネル３の前端下部をクランプ等によって天板２に支持させずとも、またデスクトップパネルが存在せずとも、パネル面の傾倒や前端側の幅方向の振れを有効に防止することができる。したがって、天板２の前縁２ａ側の外観を毀損することなく、センター引出８やそのレールと干渉することもないサイドパネル取付構造が実現可能となる。また、デスクトップパネル等にも依存しないため、種々のレイアウトにも有効に対応することができる。
【００３３】
また、縦支持部５は、支柱５１を具備するものであり、対応するサイドパネル３の肉厚内に下方に開口する中空部を形成して、これら支柱５１と中空部との間に設定したスライド部たるスライダ５２を介して、サイドパネル３の中空部を支柱５１に上下方向から差し込んで嵌め合わせるようにしているので、差し込むだけで緊密な取付状態が実現される。その際、スライド５２を採用していることで摩擦抵抗が軽減され、緊密度が高められて、簡単な作業で高い取付強度を得ることができる。
【００３４】
一方、下支持部４は、上向きの突条４３を具備するものであり、この突条４３を、サイドパネル３の下面に設けた溝３４に嵌め合わせるようにしているので、突条４３と溝３４との嵌め合いによって、サイドパネル３の下縁３ｂ全体に巾方向の振れ止め効果とパネル面の傾倒抑止効果とを得ることができる。
【００３５】
その突条４３は、薄板状のベース４２上に一体的に突出させて設けられたものであり、サイドパネル３の溝３４に突条４３を嵌め合わせた際、ベース４２が、サイドパネル３の下面と密着し、その状態で当該ベース４２の巾寸法がサイドパネル３の巾寸法とほぼ合致するように設定されているため、ベース巾を確保することによって傾倒防止を実効あるものにすることができる。しかも、ベース４２はサイドパネル３の下縁３ｂと見掛け上一体をなすので、サイドパネル３の下縁があたかも単に天板２上に載せ置かれているに過ぎない外観を呈し、しかもサイドパネル３を確実に固定した状態が得られるという効果を奏する。
【００３６】
そして、その溝３４の前方は、突条４３とともにサイドパネル３の前縁３ａによって前方から視認されない状態に塞がれるので、溝３４と突条４３との嵌め合い構造を外部から完全に隠蔽することができる。
【００３７】
さらに、後支持部６が、縦支持部５及び下支持部４よりも天板巾方向に迫り出した延出部６ｘを有しているので、パネル面の傾倒方向の挙動をより的確に抑止することができる。
【００３８】
さらにまた、後支持部６が、取付具１を天板巾方向の所要位置に選択的に固定するためのクランプ構造を備えているので、天板巾方向に取付位置の自由度が得られ、位置変更作業も容易なものとなる。しかも、クランプを天板２の後縁側に配置できることで、天板２の前縁２ａ側を解放するという本実施形態の効果を実効あるものにすることができる。
そして、以上に述べた取付具さえ用意すれば、後はサイドパネル３側に若干の加工を施すだけで、本発明を有効に利用することが可能となる。
【００３９】
なお、各部の具体的な構成は、上述した実施形態のみに限定されるものではない。
【００４０】
例えば、スライド部は、上記のように別部材であるスライダを用いて構成する場合に限らず、表面に潤滑剤等を付着させてもよいし、研磨によることもできる。勿論、支柱の表面自体が摩擦抵抗の低いものであれば、その表面自体をスライド部として利用することも可能である。
【００４１】
また、図８に示すように、突条１４３それ自体が下支持部１０４を構成していてもよい。すなわち、パネル１０３の溝１３４に嵌り合う角材若しくは角パイプ材をそのまま突条１４３したがって下支持部１０４として用い、サイドパネル１０３の溝１３４を嵌め合わせた際にパネル１０３の下縁１０３ｂが天板面に直接突き当たる構造にして、突条１４３すなわち下支持部１０４を完全にパネル１０３内に隠蔽することもできる。
【００４２】
また、図９に示すように、縦支持部２０５を構成する支柱２５１を、サイドパネル２０３の後縁２０３ｃに設けた溝２０３ｄにテーパ状に嵌め合わせて、嵌め合いが深くなる方向に連結具２００によって締結するようにしてもよい。このようにしても、サイドパネル２０３を支柱２５１に添設して連結具２００によって締結するだけで取付が完了するので、サイドパネル２０３の取付作業が簡単で、高い取付強度を得ることができる。
【００４３】
さらに、縦支持部と下支持部は、相互に連結する構造のほか、図１０に示すように、全体が一体をなすアングル部材３００を用いて、その一部を縦支持部３０５として利用し、他の一部を下支持部３０４として利用することもできる。この場合、サイドパネル３０３には対応部位に後方及び下方に開口する縦溝３０３ｄと横溝３３４を設けておけばよい。
【００４４】
また、パネルはペーパーハニカムコア等の軽量芯材を用いたものであってもよく、製造方法は加圧接着加工等によってもよい。
さらにまた、縦支持部は、必ずしも１本の支柱により構成する場合に限らず、例えば上方に嵌合状態で複数の支柱を継ぎ足していく構造にして、パネル高さに対応可能とする構成なども有効となる。
【００４５】
その他の構成も、本発明の趣旨を逸脱しない範囲で種々変形が可能である。
【図面の簡単な説明】
【００４６】
【図１】本発明の一実施形態に係る取付構造を適用してサイドパネルを天板に取り付けた状態を示す斜視図。
【図２】図１の分解斜視図。
【図３】同実施形態の取付具を示す図。
【図４】同実施形態のサイドパネルを示す側面図。
【図５】同実施形態の取付具を構成する下支持部を示す図。
【図６】同実施形態の取付具を構成する後支持部を示す図。
【図７】同実施形態の取付構造によってサイドパネルを天板に取り付けた状態を示す側面図。
【図８】本発明の変形例を示す図。
【図９】本発明の他の変形例を示す図。
【図１０】本発明の更に他の変形例を示す図。
【符号の説明】
【００４７】
１…取付具
２…天板
２ｂ…後縁
３…サイドパネル
３ａ…前縁
３ｂ…下縁
３ｃ…後縁
４…下支持部
５…縦支持部
６…後支持部
６ｘ…延出部
２０…天板面
３４…溝
４２…ベース
４３…突条
【図１】
0005142147.tif 000002
【図２】
0005142147.tif 000003
【図３】
0005142147.tif 000004
【図４】
0005142147.tif 000005
【図５】
0005142147.tif 000006
【図６】
0005142147.tif 000007
【図７】
0005142147.tif 000008
【図８】
0005142147.tif 000009
【図９】
0005142147.tif 000010
【図１０】
0005142147.tif 000011